(57)【特許請求の範囲】
【請求項１】
サッシ枠内に、框組体にガラスを装着したガラスユニットを取り付けた建具であって、
前記サッシ枠の上枠は、室内側寄りに、内面よりも内方に突出した内向き突出部を有し、室外側寄りに、内面よりも立ち上がった室外側面を有し、
前記内向き突出部に、室内側シール材が室外側に向けて装着され、
前記室外側面に、室外側シール材が室外側に向けて装着され、
前記サッシ枠の下枠は、室内側寄りに、内面よりも内方を突出した内向き突出部を有し、室外側寄りに、内面よりも下がった室外側面を有し、
前記内向き突出部に、室内側シール材が室外側に向けて装着され、
前記室外側面に、室外側シール材が室外側に向けて装着され、
前記サッシ枠の左右の縦枠は、室内側寄りに、内面よりも内方に突出した内向き突出部を有し、室外側寄りに、内面よりも内方に突出した突片を有し、
前記内向き突出部に、室内側シール材が室外側に向けて装着され、
前記突片に、室外側シール材が室外側に向けて装着され、
前記框組体の上框は、その室内側部が、前記上枠に装着した室内側シール材に接すると共に、室外側部に設けた当該上框の外面よりも立ち上がった立上り片が、前記上枠に装着した室外側シール材に接し、前記上枠の内面と上框の外面が離隔し、
前記框組体の下框は、その室内側部が、前記下枠に装着した室内側シール材に接すると共に、室外側部に設けた当該下框の外面よりも下がった垂下片が、前記下枠に装着した室外側シール材に接し、前記下枠の内面と下框の外面が離隔し、
前記框組体の左右の縦框は、その室内側部が、前記縦枠に装着した室内側シール材に接すると共に、室外側部に設けた当該縦框の外面よりも突出した外向片が、前記縦枠に装着した室外側シール材に接し、前記縦枠の内面と縦框の外面が離隔して、前記ガラスユニットをサッシ枠内に室外側から挿入可能とし、
前記上枠の内面と上框の外面との間に、上取付金具及びヒンジの一側羽根、他側羽根を設けることができると共に、前記下枠の内面と下框の外面との間に下取付金具を設けることができるようにし、
前記上枠の内面と上框の外面との間に上取付金具を設けた場合には、その上取付金具を上框の外面及び上枠の金具取付部にそれぞれ固着して上框を上枠に固定し、かつ、前記下枠の内面と下框の外面との間に下取付金具を設け、その下取付金具を下枠の内面と下框の外面とにそれぞれ固着して下框を下枠に固定し、前記ガラスユニットをサッシ枠内に固定し、
前記上枠の内面と上框の外面との間にヒンジを設けた場合には、前記一側羽根を上框の外面に固着し、他側羽根を上枠の内面に固着して上框を上枠に室内外側方向に揺動自在に連結し、前記ガラスユニットをサッシ枠内に開閉自在に取り付けることを特徴とする建具。
【請求項２】
前記縦枠の内面と縦框の外面との間に、取付片と抜け止め片を有した抜け止め具を設けることができるようにし、
この抜け止め具を設けた場合には、その取付片を縦框の外面に固着具で固着し、
前記ガラスユニットをサッシ枠内に室外側から挿入する際に、前記抜け止め片が縦枠の突片に接して弾性変形して突片よりも室内側寄りに位置し、この抜け止め片が突片に接して抜け止めするようにした請求項１記載の建具。
【発明の詳細な説明】
【技術分野】
【０００１】
本発明は、サッシ枠にガラスユニットを取付けた建具に関する。
【背景技術】
【０００２】
特許文献１、特許文献２にサッシ枠にガラスユニットを取付けた建具が開示されている。
特許文献１に開示された建具は、框組体にガラスを装着してガラスユニットとし、このガラスユニットをサッシ枠に固定して取付けた嵌め殺しタイプの建具である。
【０００３】
特許文献２に開示された建具は、框組体（可動枠）にガラスを装着してガラスユニットとし、このガラスユニットをサッシ枠（固定枠）に開閉自在に取付けた開きタイプの建具である。
【０００４】
【特許文献１】実開昭６２−６８０号公報
【特許文献２】実用新案登録第２５９２４８８号公報
【発明の開示】
【発明が解決しようとする課題】
【０００５】
従来、嵌め殺しタイプの建具と開きタイプの建具は、サッシ枠、框組体の形状がそれぞれ異なるものとされており、両方の建具に使えるようなサッシ枠、框組体は存在しなかった。
【０００７】
本発明の目的は、同一形状のサッシ枠、框組体を用いて嵌め殺しタイプの建具、開きタイプの建具とすることができる建具とすることである。
【課題を解決するための手段】
【０００８】
本発明の建具は、サッシ枠内に、框組体にガラスを装着したガラスユニットを取り付けた建具であって、
前記サッシ枠の上枠は、室内側寄りに、内面よりも内方に突出した内向き突出部を有し、室外側寄りに、内面よりも立ち上がった室外側面を有し、
前記内向き突出部に、室内側シール材が室外側に向けて装着され、
前記室外側面に、室外側シール材が室外側に向けて装着され、
前記サッシ枠の下枠は、室内側寄りに、内面よりも内方を突出した内向き突出部を有し、室外側寄りに、内面よりも下がった室外側面を有し、
前記内向き突出部に、室内側シール材が室外側に向けて装着され、
前記室外側面に、室外側シール材が室外側に向けて装着され、
前記サッシ枠の左右の縦枠は、室内側寄りに、内面よりも内方に突出した内向き突出部を有し、室外側寄りに、内面よりも内方に突出した突片を有し、
前記内向き突出部に、室内側シール材が室外側に向けて装着され、
前記突片に、室外側シール材が室外側に向けて装着され、
前記框組体の上框は、その室内側部が、前記上枠に装着した室内側シール材に接すると共に、室外側部に設けた当該上框の外面よりも立ち上がった立上り片が、前記上枠に装着した室外側シール材に接し、前記上枠の内面と上框の外面が離隔し、
前記框組体の下框は、その室内側部が、前記下枠に装着した室内側シール材に接すると共に、室外側部に設けた当該下框の外面よりも下がった垂下片が、前記下枠に装着した室外側シール材に接し、前記下枠の内面と下框の外面が離隔し、
前記框組体の左右の縦框は、その室内側部が、前記縦枠に装着した室内側シール材に接すると共に、室外側部に設けた当該縦框の外面よりも突出した外向片が、前記縦枠に装着した室外側シール材に接し、前記縦枠の内面と縦框の外面が離隔して、前記ガラスユニットをサッシ枠内に室外側から挿入可能とし、
前記上枠の内面と上框の外面との間に、上取付金具及びヒンジの一側羽根、他側羽根を設けることができると共に、前記下枠の内面と下框の外面との間に下取付金具を設けることができるようにし、
前記上枠の内面と上框の外面との間に上取付金具を設けた場合には、その上取付金具を上框の外面及び上枠の金具取付部にそれぞれ固着して上框を上枠に固定し、かつ、前記下枠の内面と下框の外面との間に下取付金具を設け、その下取付金具を下枠の内面と下框の外面とにそれぞれ固着して下框を下枠に固定し、前記ガラスユニットをサッシ枠内に固定し、
前記上枠の内面と上框の外面との間にヒンジを設けた場合には、前記一側羽根を上框の外面に固着し、他側羽根を上枠の内面に固着して上框を上枠に室内外側方向に揺動自在に連結し、前記ガラスユニットをサッシ枠内に開閉自在に取り付けることを特徴とする建具である。
【００１１】
この建具においては、記縦枠の内面と縦框の外面との間に、取付片と抜け止め片を有した抜け止め具を設けることができるようにし、
この抜け止め具を設けた場合には、その取付片を縦框の外面に固着具で固着し、
前記ガラスユニットをサッシ枠内に室外側から挿入する際に、前記抜け止め片が縦枠の突片に接して弾性変形して突片よりも室内側寄りに位置し、この抜け止め片が突片に接して抜け止めするようにすることが好ましい。
このようにすれば、ガラスユニットに抜け止め具を取り付けた状態で、そのガラスユニットをサッシ枠内に押し込んで取り付けできる。
また、ガラスユニットを取り付けた状態で負圧によって室外に引張られたときに縦框が大きく湾曲変形することがないようにできる。
【発明の効果】
【００１４】
本発明の建具によれば、上枠の内面と上框の外面との間に上取付具を取付けると共に、下枠の内面と下框の外面との間に下取付金具を取付けることで嵌め殺しタイプの建具とすることができるし、上枠の内面と上框の外面との間に蝶番を取付けることで開きタイプの建具とすることができる。
したがって、同一形状のサッシ枠、框組体を用いて嵌め殺しタイプの建具、開きタイプの建具とすることができる。
【発明を実施するための最良の形態】
【００１８】
図１と図２に示すように、サッシ枠１内にガラスユニット２を取付けて建具を形成している。
前記ガラスユニット２は、框組体３内にガラス４を装着したもので、その框組体３をサッシ枠１内に挿入して取付ける。
前記框組体３とガラス４とは室内側ガスケット５と室外側ガスケット６でシールされている。
この実施の形態では、框組体３をサッシ枠１に固定して取付け、嵌め殺しタイプの建具としてある。
【００１９】
前記サッシ枠１は上枠１０と下枠１１と左右の縦枠１２で方形状である。前記ガラスユニット２はサッシ枠１内の室外側寄りに取付けられる。
前記上枠１０、下枠１１、縦枠１２の内面１０ａ、１１ａ、１２ａにおける室内側寄りに内向き突出部１３が、各内面より内周側（内方）に突出してそれぞれ設けてあり、この各内向き突出部１３に室内側シール材１４が室外側に向けてそれぞれ装着してある。つまり、サッシ枠１の内周面に室内側シール材１４が装着してある。
この実施の形態では、各内向き突出部１３はシール材装着部１３ａをそれぞれ有し、その各シール材装着部１３ａは見込み方向に同一位置で、かつ四周連続し、室内側シール材１４が四周連続して装着される。
前述のシール材装着部１３ａは室外側に開口したあり溝である。なお、あり溝に限ることはなく、突条や平坦面などでも良い。
【００２０】
前記框組体３は、上框２０と下框２１と左右の縦框２２を方形状に框組みしたもので、各框の室内側部２０ａ、２１ａ、２２ａ（つまり、框組体３の室内側部）は、前記室内側ガスケット５と前記室内側シール材１４で被覆され、室内から見えないようにしてある。
これによって、框組体３の室内側部が室内側ガスケット５と室内側シール材１４で被覆されて室内から目視されない。
また、その框組体３の室内側部に生じた結露が室内から見えないと共に、その結露水がサッシ枠１の室内側部から室内に流れ込むことがない。
【００２１】
この実施の形態では、各框の室内側部２０ａ、２１ａ、２２ａにおける内面２０ａ−１、２１ａ−１、２２ａ−１に室内側ガスケット５が接して框組体３の室内側部の内周面を各室内側ガスケット５で被覆している。
前記各室内側シール材１４が各框の室内側部２０ａ、２１ａ、２２ａの室内側面と各室内側ガスケット５に接している。
これによって、前述のように框組体３の室内側部を各室内側ガスケット５と各室内側シール材１４で被覆している。
【００２２】
また、この実施の形態では各框の室内側部２０ａ、２１ａ、２２ａが前記各内向き突出部１３よりも内方に突出しないようにしてある。例えば、上框２０、下框２１の室内側部２０ａ、２１ａの内面２０ａ−１、２１ａ−１と上枠１０、下枠１１の内向き突出部１３の内面は面一で、縦框２２の室内側部２２ａの内面２２ａ−１は縦枠１２の内向き突出部１３の内面よりも外側（外方）に位置している。
このようであるから、室内から見た時に框組体３の室内側部、室内側ガスケット５が目立つことがなく、内観の見栄えが良い。
この実施の形態では、各框の室外側部２０ｂ、２１ｂ、２２ｂが各内向き突出部１３よりも内方に突出しないようにしてある。なお、突出するようにしても良い。
【００２３】
次に、各部材の具体形状の一例を説明する。
前記上枠１０の内向き突出部１３は、シール材装着部１３ａよりも上方位置に金具取付部１３ｂを有する。例えば、この内向き突出部１３は、上枠１０の内面１０ａとで中空部を形成する上向きコ字状片１５と、垂下片１６を有し、その垂下片１６にあり溝が形成されている。前記コ字状片１５の横向片１５ａが金具取付部１３ｂである。
前記下枠１１の内向き突出部１３は、下枠１１の内面１１ａとで中空部を形成する下向きコ字形状で、その室外側面にあり溝が形成されている。
前記縦枠１２の内向き突出部１３は板状で、その先端部にあり溝が形成してある。
【００２４】
前記上枠１０、下枠１１、縦枠１２の室外側寄りにシール材装着部１７がそれぞれ設けてあり、この各シール材装着部１７に室外側シール材１８が室外側に向けて装着してある。
前記上枠１０のシール材装着部１７は内面１０ａよりも立上った室外側面１０ｂに形成され、下枠１１のシール材装着部１７は内面１１ａよりも下がった室外側面１１ｂに形成され、縦枠１２のシール材装着部１７は内面１２ａよりも内方に突出した突片１９に形成されている。
この実施の形態では各シール材装着部１７は室外側に開口したあり溝であるが、これに限ることはない。
【００２５】
前記上框２０の室外側部２０ｂに立上り片２３が設けてあり、この立上り片２３が前記室外側シール材１８に接して上框２０の外面２０ｃと上枠１０の内面１０ａとが離隔して上框２０の外面２０ｃに上取付金具３０を取付けできるようにしている。
この上取付金具３０は上框２０の外面２０ｃと上枠１０の金具取付部１３ｂとに固着具、例えばビス３１でそれぞれ固着される。
【００２６】
前記上取付金具３０は図３に示すように、横片３２と室外側立上り片３３と室内側鉤片３４を有し、その室外側立上り片３３が上框２０の立上り片２３のフック部２３ａに係止すると共に、室内側鉤片３４の折曲部を上框２０の室内側部２０ａに接して仮取付け、横片３２をビス３１で上框２０の外面２０ｃに固着する。
前記鉤片３４を上枠１０のコ字状片１５の室外側縦片１５ｂに形成した開口部１５ｃより内部に突出し、ビス３１で横向片１５ａ（金具取付部１３ｂ）に固着される。
【００２７】
前記下框２１の室外側部２１ｂには垂下片２４が設けてあり、この垂下片２４が室外側シール材１８に接して下框２１の外面２１ｃと下枠１１の内面１１ａが離隔し、下框２１の外面２１ｃに下取付金具４０を取付けできるようにしてある。
この下取付金具４０は下框２１の外面２１ｃにビス４１で固着されると共に、下枠１１に係止して下框２１が室外側に動かないようにする。
【００２８】
前記下取付金具４０は図４に示すように、横片４２と室外側下向片４３と係止片４４を備え、その室外側下向片４３が垂下片２４のフック部２４ａに係止すると共に、横片４２をビス４１で下框２１の外面２１ｃに固着する。
下枠１１の内面１１ａにおける室外側寄りに開口部４５を形成し、この開口部４５に係止片４４を差し込んで下枠１１を係止する。
【００２９】
前記縦框２２の室外側部２２ｂには外向片２５が設けてあり、この外向片２５が室外側シール材１８に接して縦框２２の外面２２ｃと縦枠１２の内面１２ａとが離隔し、縦框２２の外面２２ｃに抜け止め具５０を取付けできるようにしてある。
この抜け止め具５０は取付片５１と抜け止め片５２でほぼＶ字形状で、その取付片５１を固着具、例えばリベット５３で縦框２２の外面２２ｃに固着される。
【００３０】
前記ガラスユニット２をサッシ枠１内に挿入する際に、抜け止め具５０の抜け止め片５２が縦枠１２の突片１９（シール材装着部１７）に接して弾性変形して突片１９よりも室内側寄りに位置し、この抜け止め片５２が突片１９に接して抜け止めする。
【００３１】
このようであるから、ガラスユニット２が負圧によって室外側に引張られた時に縦框２２が室外側に移動することが防止され、縦框２２が大きく湾曲変形することがない。
このことは、ガラスユニット２の幅（見付け寸法）に対して高さ（上下寸法）が大きい縦長の場合に有効であり、幅と高さが同一もしくは幅が高さよりも大きい場合には抜け止め具５０を取付けなくとも良い。
前述の抜け止め具５０は縦框２２の長さに応じて長手方向に間隔を置いて複数取付けることが好ましい。
【００３２】
前記ガラスユニット２をサッシ枠１に開閉自在に取付けることもできる。
例えば、図５に示すように上框２０を上枠１０をヒンジ６０で室内外側方向に揺動自在に取付け、下枠１１と下框２１に亘って錠７０を取付けると共に、下框２１に開閉操作具８０を取付けてガラスユニット２の下部を室外側に突き出して開放する突き出し窓とする。
【００３３】
前記ヒンジ６０は図６に示すように一側羽根６１と他側羽根６２をピン６３で回動自在に連結した蝶番で、一側羽根６１を上框２０の外面２０ｃに固着具、例えばビス６４が固着し、他側羽根６２を上枠１０の内面１０ａに固着具、例えばビス６５で固着する。
このように、上枠１０の内面１０ａと上框２０の外面２０ｃとが離隔しているので、ヒンジ６０を前述のように取付けできる。
【００３４】
この実施の形態では、一側羽根６１と他側羽根６２がＬ型で、その横片６１ａ、６２ａがビス６４、６５で固着され、縦片６１ｂ、６２ｂが上框２０の立上り片２３のフック部２３ａの切欠部２３ｂから外側に突出し、ピン６３で連結してある。前記縦片６１ｂ、６２ｂが室外側シール材１８に接する。
このようであるから、上枠１０の内面１０ａと上框２０の外面２０ｃとの間隔が小さくともヒンジ６０を取付けできる。
また、ヒンジ６０の回動中心（ピン６３）が上框２０よりも上方で、かつ室外側寄りであるから、ガラスユニット２の突き出し量を大きくすることが可能である。
【００３５】
前記錠７０は図７に示すように、下枠１１に移動自在に設けた主錠７１と、下框２１に取付けた錠受け７２を備え、主錠７１を移動して錠受け７２に係止、離脱して施錠、解錠する。
前記主錠７１は、縦片７３と横片７４でＬ字形状で、その縦片７３の上部につまみ７５が設けてあると共に、横片７４に見付け方向に向う長溝７６が形成してある。この長溝７６から段付きビス７７を下枠１１の内面１１ａに螺合して主錠７１は下枠１１の内面１１ａに沿って見付け方向に移動自在に取付けられる。
前記錠受け７２は見付け方向に向う受片７８を備え、この受片７８の室外側面７８ａに縦片７３が接することで施錠し、離れることで解錠する。
【００３６】
前記開閉操作具８０は図７に示すように、取付片８１につまみ８２を設けたもので、その取付片８１を下框２１に固着具、例えばビス８３で取付け、そのつまみ８２を持って開閉する。
【００３７】
図８に示すように、前述の下枠１１と下框２１に亘って煽り止め具９０を取付け、開閉操作具８０に錠機能を持たせるようにしても良い。
前記煽り止め具９０は、下枠１１の内面１１ａに室内外側方向に揺動自在に取付けたアーム９１と、下框２１に取付けたフック９２を備え、前記アーム９１をつまみ９３を持って図８に仮想線で示すように室外側に揺動して穴９４をフック９２に係止することでガラスユニット２が開放した状態で保持する。
ガラスユニット２を閉じた時には図８に実線で示すようにアーム９１を見付け方向に向うように揺動する。
【００３８】
前記開閉操作具８０のつまみ８２は取付片８１に上下動自在で、下方に付勢して保持して取付けられると共に、このつまみ８２に錠杆８４を下向きに設ける。
下枠１１の室内側部１１ａの上面にロック穴８５を形成し、そのロック穴８５にブッシュ８６を嵌合して錠受けとする。
つまみ８２とともに錠杆８４を上方に移動してガラスユニット２を閉じ、その錠杆８４をブッシュ８６と対向させ、つまみ８２から手を離して錠杆８４をブッシュ８６に嵌合して施錠する。
つまみ８２を持ち上げることで錠杆８４がブッシュ８６から抜け出し、解錠される。
【００３９】
以上の実施の形態では、室内側ガスケット５のみを各框の室内側部の内面２０ａ−１、２１ａ−１、２２ａ−１に接したが、室内側ガスケット５と室内側シール材１４を各框の室内側部の内面２０ａ−１、２１ａ−１、２２ａ−１（框組体の室内側部の内周面）にそれぞれ接すると共に、相互に接するようにしても良い。
【００４０】
前述の実施の形態では、室内側ガスケット５と室内側シール材１４で框組体３の室内側部を被覆したが、室内側シール材１４で被覆しても良い。
例えば、図９と図１０に示すように、各室内側シール材１４を上框２０、下框２１、縦框２２の室内側部２０ａ、２１ａ、２２ａにおける室内側面（框組体３の室内側部の室内側面）と内面２０ａ−１、２１ａ−１、２２ａ−１（框組体３の室内側部の内周面）にそれぞれ接して被覆する。
この場合には、各室内側シール材１４を各室内側ガスケット５に接することが好ましい。
【００４１】
このようにすれば、各框の室内側部２０ａ、２１ａ、２２ａの内面２０ａ−１、２１ａ−１、２２ａ−１（框組体３の室内側部の内周面）の見込み寸法が大きくとも室内側ガスケット５を通常のものを使用できる。
つまり、前述の内面の見込み寸法が大きい場合に室内側ガスケット５を内面に接する場合には、その室内側ガスケット５が室内側に張り出した特殊形状となる。
【図面の簡単な説明】
【００４２】
【図１】本発明の第１の実施の形態を示す建具の縦断面図である。
【図２】本発明の第１の実施の形態を示す建具の横断面図である。
【図３】上枠と上框の連結部の分解斜視図である。
【図４】下枠と下框の係止部の分解斜視図である。
【図５】本発明の第２の実施の形態を示す建具の縦断面図である。
【図６】上枠と上框の連結部の分解斜視図である。
【図７】錠と開閉操作具の分解斜視図である。
【図８】開閉操作具と煽り止め具の分解斜視図である。
【図９】本発明の第３の実施の形態を示す建具の縦断面図である。
【図１０】本発明の第３の実施の形態を示す建具の横断面図である。
【符号の説明】
【００４３】
１…サッシ枠、２…ガラスユニット、３…框組体、４…ガラス、５…室内側ガスケット、１０…上枠、１０ａ…内面、１１…下枠、１１ａ…内面、１２…縦枠、１２ａ…内面、１３…内向き突出部、１４…室内側シール材、２０…上框、２０ａ…室内側部、２０ａ−１…内面、２１…下框、２１ａ…室内側部、２１ａ−１…内面、２２…縦框、２２ａ…室内側部、２２ａ−１…内面、３０…上連結金具、４０…下取付金具、６０…ヒンジ、７０…錠、８０…開閉操作具、９０…煽り止め具。
【図１】
0004526039.tif 000002
【図２】
0004526039.tif 000003
【図３】
0004526039.tif 000004
【図４】
0004526039.tif 000005
【図５】
0004526039.tif 000006
【図６】
0004526039.tif 000007
【図７】
0004526039.tif 000008
【図８】
0004526039.tif 000009
【図９】
0004526039.tif 000010
【図１０】
0004526039.tif 000011